(57)【特許請求の範囲】
【請求項１】
複数の携帯電話機との間で信号の送受信を実施する送受信部と、
目的地を設定する目的地設定手段と、
前記携帯電話機ごとに設定されている使用目的地を記憶する記憶手段と、
前記目的地設定手段で設定された目的地に基づいて、複数の前記携帯電話機から前記記憶手段に記憶されている使用目的地に合致する特定携帯電話機を選択する選択手段と、
前記送受信部から前記選択手段で選択された前記特定携帯電話機へ回線接続信号を出力し、前記特定携帯電話機を外部の電話回線に接続する接続制御部と、
を備えることを特徴とするハンズフリー通話装置。
【請求項２】
複数の携帯電話機との間で信号の送受信を実施する送受信部と、
現在位置を検出する位置検出手段と、
現在の日時または曜日の少なくともいずれか一方を含む日付情報を取得する日付情報取得手段と、
目的地を設定する目的地設定手段と、
前記携帯電話機ごとに設定されている使用エリア、前記携帯電話機ごとに設定されている使用日時または使用曜日の少なくともいずれか一方、および前記携帯電話機ごとに設定されている使用目的地を記憶する記憶手段と、
複数の前記携帯電話機から、前記位置検出手段で検出した現在位置に基づいて前記記憶手段に記憶されている使用エリアに合致、前記日付情報取得手段で取得した現在の日時若しくは曜日に基づいて前記記憶手段に記憶されている使用日時若しくは使用曜日に合致、または前記目的地設定手段で設定された目的地に基づいて前記記憶手段に記憶されている使用目的地に合致するいずれか一つの特定携帯電話機を選択する選択手段と、
前記送受信部から前記選択手段で選択された前記特定携帯電話機へ回線接続信号を出力し、前記特定携帯電話機を外部の電話回線に接続する接続制御部と、
を備えることを特徴とするハンズフリー通話装置。
【請求項３】
前記選択手段は、前記特定携帯電話機を選択するとき、使用エリア、使用日時若しくは使用曜日、または使用目的地のいずれを優先するか優先順位を設定可能であることを特徴とする請求項２記載のハンズフリー通話装置。
【発明の詳細な説明】
【技術分野】
【０００１】
本発明は、ハンズフリー通話装置に関する
【背景技術】
【０００２】
従来、携帯電話機と有線または無線により接続されるカーナビゲーション装置が知られている。このようなカーナビゲーション装置は、その携帯電話機と電話回線とを接続させることにより、携帯電話機による通話を可能としている。そして、カーナビゲーション装置は、携帯電話機と車両に備えられたマイクおよびスピーカとを組み合わせることにより、ハンズフリー通話装置を構成している。
【０００３】
一方、近年では、携帯電話機の所持コストの低下とともに、例えば会社から支給される業務用の携帯電話機と個人で所有する個人用の携帯電話機など複数の携帯電話機を所有する使用者がいる。この場合、ハンズフリー通話装置を用いて通話と可能とするためには、複数の携帯電話機のうちいずれの携帯電話機を用いるかを選択する必要がある。特許文献１の場合、複数の携帯電話機が使用可能であるとき、発信先の電話番号に基づいて、複数の携帯電話機のうちいずれの携帯電話機を通話に用いるかを自動で選択している。
【特許文献１】特開２００７−２６６７５５号公報
【発明の開示】
【発明が解決しようとする課題】
【０００４】
しかしながら、特許文献１の場合、ハンズフリー通話装置の電話帳に登録されている電話番号ごとに、複数の携帯電話機のうちいずれの携帯電話機を使用するかを設定する必要がある。そのため、電話番号と対応する携帯電話機を登録するための手続が煩雑であるという問題がある。また、特許文献１の場合、外部から着信する際に、複数の携帯電話機のうちいずれを選択して電話回線に接続するかについては考慮されていない。
そこで、本発明は、上記の課題に鑑みてなされたものであり、その目的は、簡単な手続で発信だけでなく着信時においても自動で複数の携帯電話機から通話を確立する特定携帯電話機を選択するハンズフリー通話装置を提供することにある。
【課題を解決するための手段】
【０００７】
請求項１記載の発明では、選択手段は、目的地設定手段で設定された目的地に基づいて特定携帯電話機を選択する。記憶手段には、携帯電話機ごとに使用目的地が記憶されている。そのため、目的地が含まれる使用目的地に合致する携帯電話機を選択することにより、目的地に応じて複数の携帯電話機から自動で特定携帯電話機が選択される。例えば業務用の携帯電話機と個人用の携帯電話機を所有している場合、目的地が勤務先あるいは取引先であるとき、選択手段は業務用の携帯電話機を特定携帯電話機として選択する。一方、目的地が自宅や娯楽施設であるとき、選択手段は個人用の携帯電話機を特定携帯電話機として選択する。これにより、例えば勤務先や取引先または自宅などを登録するだけで、選択手段は自動で特定携帯電話機を選択する。また、外部から着信があった場合、選択手段は上述のように使用目的地に応じて複数の携帯電話機から特定携帯電話機を選択する。したがって、簡単な手続で発信だけでなく着信時においても自動で複数の携帯電話機から通話を確立する特定携帯電話機を選択することができる。
【０００８】
請求項２記載の発明では、選択手段は、位置検出手段で検出した現在位置、現在の日時または曜日の少なくともいずれか一方を含む日付情報、または目的地設定手段で設定された目的地に基づいて特定携帯電話機を選択する。記憶手段には、携帯電話機ごとに使用エリア、使用日時または使用曜日、および使用目的地が記憶されている。そのため、現在位置が含まれる使用エリア、現在の日時若しくは曜日が含まれる使用日時若しくは使用曜日、または目的地が含まれる使用目的地に合致する携帯電話機を選択することにより、現在位置、現在の日時若しくは曜日、または目的地に応じて複数の携帯電話機から自動で特定携帯電話機が選択される。また、外部から着信があった場合、選択手段は上述のように使用エリア、使用日時若しくは使用曜日、または使用目的地に応じて複数の携帯電話機から特定携帯電話機を選択する。したがって、簡単な手続で発信だけでなく着信時においても自動で複数の携帯電話機から通話を確立する特定携帯電話機を選択することができる。
請求項３記載の発明では、使用エリア、使用日時若しくは使用曜日、または使用目的地のいずれを優先して特定携帯電話機を選択するかの優先順位は設定可能である。そのため、使用状況や使用環境などに応じてより精度よく複数の携帯電話機から特定携帯電話機を選択することができる。
【発明を実施するための最良の形態】
【０００９】
以下、本発明によるハンズフリー通話装置の複数の実施形態を図面に基づいて説明する。なお、複数の実施形態において実質的に同一の構成部位には同一の符号を付し、説明を省略する。
（第１実施形態）
本発明の第１実施形態によるハンズフリー通話装置を図１に示す。図１は、第１実施形態によるハンズフリー通話装置を適用したナビゲーション装置（以下、ナビゲーション装置を「車載装置」という。）１０を示すブロック図である。車載装置１０は、車両に搭載されている。車載装置１０は、制御部１１、位置検出部１２、地図データ入力部１３、操作スイッチ部１４、外部メモリ１５、表示部１６、音声コントローラ１７、マイクロホン接続部１８、リモコンセンサ１９、送受信部２１および接続制御部２２を備えている。制御部１１は、図示しないＣＰＵ、ＲＯＭおよびＲＡＭを有するマイクロコンピュータを主体として構成されている。
【００１０】
位置検出部１２は、車両の現在位置を検出する。位置検出部１２は、ジャイロスコープ２４、距離センサ２５およびＧＰＳ受信器２６を有している。ジャイロスコープ２４は、車両の回転角速度を検出する。距離センサ２５は、車両の走行距離を検出する。ＧＰＳ受信器２６は、ＧＰＳ（Global Positioning System）により車両の現在位置を測位するために、ＧＰＳ衛星から送信される電波を受信する。
地図データ入力部１３は、図示しない地図データ記憶メディアおよびドライブ装置を有している。地図データ記憶メディアには、複数のノードおよびノード同士をつなぐリンクにより形成された道路地図データ、目印データ、マップマッチング用データ、目的地データ、交通情報を道路データに変換するためのテーブルデータなどの各種データを記憶している。ドライブ装置は、地図データ記憶メディアに記憶された各種のデータを読み出す。地図データ入力部１３から読み出された地図データは、制御部１１の図示しないＲＡＭに保管される。地図データ記憶メディアとしては、例えばＤＶＤやＣＤなどの大容量記憶媒体、メモリーカードあるいはハーディスクドライブなどの記憶媒体が用いられる。
【００１１】
操作スイッチ部１４は、表示部１６の画面の近傍に設けられているメカニカルスイッチ、および表示部１６の画面に設けられているタッチパネルスイッチなどから構成されている。使用者は、操作スイッチ部１４の各スイッチを用いて、車両の目的地、表示部１６の画面や表示態様の切り替え（例えば、地図縮尺の変更、メニュー表示の選択、経路の探索、経路案内の開始、現在位置の修正および音量の調整など）を行う各種のコマンドの入力を行う。これにより、車載装置１０は、使用者の指示にしたがって作動する。リモコンセンサ１９は、リモコン２７との間でコマンドなどの送受信を行う。リモコン２７には、複数の操作スイッチが設けられている。リモコン２７の操作スイッチを操作することにより、リモコン２７からリモコンセンサ１９を経由して各種の指令信号が制御部１１へ送信される。操作スイッチ部１４およびリモコン２７は、いずれの操作によっても制御部１１へ同一の機能を実行させることができる。以上により、制御部１１、および操作スイッチ部１４またはリモコン２７は、特許請求の範囲の目的地設定手段を構成している。
【００１２】
外部メモリ１５は、例えば着脱可能なフラッシュメモリカードなどによって構成されている。表示部１６は、例えばカラー液晶ディスプレイを有している。表示部１６の画面には、車両の現在位置周辺の地図が各種縮尺で表示されるとともに、この地図表示に重ねて車両の現在位置および進行方向を示す現在地マークが表示される。また、目的地までの経路案内を実行するとき、表示部１６の画面には経路案内用の画面が表示される。
【００１３】
音声コントローラ１７は、車載スピーカ２８に接続されている。音声コントローラ１７は、図示しない車載マイクロホンが接続されているとき、マイクロホン接続部１８を経由して音声認識結果を制御部１１へ出力する。これとともに、音声コントローラ１７は、認識された音声を車載スピーカ２８を経由してトークバック出力する。また、音声コントローラ１７は、制御部１１からの音声出力指令に基づいて、音声出力信号を車載スピーカ２８へ出力する。車載スピーカ２８から出力される音声は、案内に関する音声、操作説明に関する音声、盗難防止機能の動作中であることを報知する音声、音声認識結果に応じたトークバック音声および受信した電話音声などである。マイクロホン接続部１８には、図示しない車載マイクロホンが有線によって接続するコネクタが設けられている。
【００１４】
制御部１１を構成するマイクロコンピュータは、図示しないＲＡＭやＥＥＰＲＯＭなどから構成されるメモリにナビゲーション機能のための地図データを格納する。制御部１１は、車両が走行経路に沿って移動可能とするために、表示部１６の画面に現在地周辺の道路地図を表示するとともに、車両の位置および進行方向を示す現在地マークを道路地図に重ねて表示する。この場合、車両の走行にともなって現在地の表示は表示された地図上を移動し、地図は車両の位置に応じてスクロール表示される。このとき、制御部１１は、車両の現在地を道路上にあわせるマップマッチングを実施する。
【００１５】
制御部１１は、接続制御部２２に送受信部２１を経由して携帯電話機３１、３２が接続されているか否かを検出する。制御部１１は、接続制御部２２に携帯電話機３１、３２が接続されているとき、携帯電話機３１、３２の図示しない制御部から携帯電話機３１、３２の電話番号を読み取る。これにより、制御部１１は、携帯電話機３１、３２が接続制御部２２に接続されているか否かを検出する。第１実施形態の場合、車載装置１０には、携帯電話機３１および携帯電話機３２の二機の携帯電話機が接続している。すなわち、使用者は、二機の携帯電話機３１、３２を所有している。第１実施形態において、携帯電話機３１は勤務先から支給された業務用の携帯電話機であり、携帯電話機３２は使用者個人で所有している個人用の携帯電話機である。送受信部２１と携帯電話機３１および携帯電話機３２との間は、有線あるいは例えばBluetoothなどの無線によって接続している。
【００１６】
制御部１１は、接続制御部２２に携帯電話機３１、３２が接続されたことを検出すると、携帯電話機３１、３２の図示しない携帯スピーカおよび携帯マイクロホンによる通話を不能とする。そして、制御部１１は、車載マイクロホンおよび車載スピーカ２８による車両外部の電話回線３３との通話のみを許可するハンズフリーモードへの切り替えを行う。
外部メモリ１５は、携帯電話機３１および携帯電話機３２に設定されている使用エリアを記憶している。すなわち、外部メモリ１５は、特許請求の範囲の記憶手段を構成している。使用エリアとは、携帯電話機３１または携帯電話機３２が使用される地域を意味する。業務用の携帯電話機３１の場合、例えば勤務先の所在地あるいは取引先の所在地などが使用エリアとして設定されている。一方、個人用の携帯電話機３２の場合、例えば自宅の所在地などが使用エリアとして設定されている。使用エリアは、使用者が携帯電話機３１、３２ごとの使用目的に応じて任意に設定する。使用者は、例えば操作スイッチ部１４からの入力により、携帯電話機３１または携帯電話機３２の使用エリアを設定する。
【００１７】
車載装置１０は、制御部１１に接続する電話機選択部４１を備えている。電話機選択部４１は、特許請求の範囲の選択手段である。電話機選択部４１は、位置検出部１２で検出した車両の現在位置に基づいて、携帯電話機３１または携帯電話機３２から上述の使用エリアに合致する携帯電話機を特定携帯電話機として選択する。例えば位置検出部１２で検出した車両の現在位置が勤務先や取引先の周辺にあるとき、あるいは勤務先と取引先とを結ぶ経路の途中にあるとき、電話機選択部４１は回線を確立する携帯電話機として業務用の携帯電話機３１を選択する。一方、例えば位置検出部１２で検出した車両の現在位置が自宅の周辺にあるとき、勤務先や取引先から遠いとき、あるいは勤務先と取引先とを結ぶ経路から遠いときなど、電話機選択部４１は回線を確立する携帯電話機として個人用の携帯電話機３２を選択する。接続制御部２２は、電話機選択部４１によって回線を確立すべき特定携帯電話機が選択されると、送受信部２１を経由して特定携帯電話機へ回線接続信号を出力する。これにより、特定携帯電話機と外部の電話回線３３との間には通話のための回線が確立される。
制御部１１は、時計部４２に接続している。時計部４２は、現在の年月日、時刻および曜日を含む日付データを有している。制御部１１は、時計部４２から現在の年月日、時刻および曜日を含む日付データを取得する。すなわち、制御部１１および時計部４２は、特許請求の範囲の日付データ取得手段を構成している。
【００１８】
次に、図２に基づいて第１実施形態の車載装置１０の処理の流れについて説明する。
制御部１１は、電話回線３３への発信または電話回線３３からの着信があると、複数の携帯電話機３１、３２がハンズフリー登録可能であるか否かを判断する（Ｓ１０１）。第１実施形態は、複数の携帯電話機が車載装置１０との間でハンズフリー登録が可能であることを前提とする。したがって、制御部１１は、複数の携帯電話機がハンズフリー登録可能であるか否かを判断する。制御部１１は、複数の携帯電話機がハンズフリー登録できないと判断すると、登録可能な一つの携帯電話機を選択して通話を確立し、処理を終了する（Ｓ１０２）。
【００１９】
制御部１１は、ステップＳ１０１において複数の携帯電話機がハンズフリー登録可能であると判断すると、使用エリアの設定があるか否かを判断する（Ｓ１０３）。使用者により設定された使用エリアは、外部メモリ１５に記憶されている。使用エリアは、使用者により携帯電話機３１、３２ごとに設定されている。例えば業務用の携帯電話機３１の場合、勤務先および取引先が使用エリアとして設定されている。また、例えば個人用の携帯電話機３２の場合、自宅および娯楽施設が使用エリアとして設定されている。制御部１１は、外部メモリ１５にアクセスすることにより使用エリアが外部メモリ１５に記憶されているか否かを判断する。制御部１１は、使用エリアが設定されていないと判断すると、複数の携帯電話機３１、３２のうちデフォルトで使用が設定されている携帯電話機を選択して通話を確立し、処理を終了する（Ｓ１０４）。
【００２０】
制御部１１は、ステップＳ１０３において携帯電話機３１、３２に使用エリアの設定があると判断すると、現在位置を取得する（Ｓ１０５）。制御部１１は、位置検出部１２から車載装置１０を搭載した車両の現在位置を取得する。そして、電話機選択部４１は、取得した現在位置に合致する使用エリアを有する携帯電話機を特定携帯電話機として選択する（Ｓ１０６）。ステップＳ１０５で取得した車両の現在位置が勤務先の近傍にあるとき、電話機選択部４１はこの現在位置に合致する使用エリアを有する携帯電話機を検索する。業務用の携帯電話機３１は、その使用エリアとして勤務先および取引先を含んでいる。そのため、電話機選択部４１は、車両の現在位置が勤務先の近傍にあるとき、これに合致する使用エリアを含む業務用の携帯電話機３１を特定携帯電話機に設定する。一方、車両の現在位置が自宅の近傍にあるとき、電話機選択部４１は個人用の携帯電話機３２を特定携帯電話機に設定する。
【００２１】
制御部１１は、ステップＳ１０６において複数の携帯電話機３１、３２から特定携帯電話機が選択されると、特定携帯電話機を経由して外部の電話回線３３との間に通話を確立する（Ｓ１０７）。接続制御部２２は、電話機選択部４１で選択された特定携帯電話機へ送受信部２１を経由して回線接続信号を出力する。特定携帯電話機は、送受信部２１を経由して接続制御部２２から出力された回線接続信号を受信すると、外部の電話回線３３との間に通話を確立する。以上の手順より、制御部１１は、車両の現在位置に基づいて通話を確立すべき携帯電話機を自動的に選択する。
【００２２】
第１実施形態では、車載装置１０を搭載した車両の現在位置に応じて、この現在位置を使用エリアとして含んでいる携帯電話機が特定携帯電話機として選択される。そのため、車両の現在位置に応じて、複数の携帯電話機３１、３２から電話回線３３との間に通話を確立する携帯電話機が自動的に選択される。このとき、電話機選択部４１は、車両の現在位置によって携帯電話機を選択する。そのため、携帯電話機３１、３２へ着信があった場合、および携帯電話機３１、３２から発信する場合のいずれの場合も、車両の現在位置に基づいて通話を確立する携帯電話機が自動的に選択される。使用エリアは、例えば業務用か個人用かなど携帯電話機３１、３２の属性に応じて使用者によって任意に設定されるとともに、その範囲も任意に設定される。したがって、発信だけでなく着信時においても、自動で複数の携帯電話機３１、３２から通話を確立する特定携帯電話機を選択することができる。
【００２３】
また、第１実施形態では、勤務先および取引先を業務用の携帯電話機３１の使用エリアと設定すると、現在位置が勤務先および取引先、ならびに勤務先と取引先とを結ぶ経路の近傍にあるとき、業務用の携帯電話機３１が特定携帯電話機として選択される。一方、現在位置が勤務先および取引先、ならびに勤務先と取引先とを結ぶ経路の近傍にないとき、個人用の携帯電話機３２が特定携帯電話機として選択される。すなわち、車両の現在位置が業務用の携帯電話機３１の使用エリア外にあるとき、個人用の携帯電話機３１が特定携帯電話機として選択される。これにより、業務用の携帯電話機３１の使用エリアを設定するだけで、同時に個人用の携帯電話機３２の使用エリアも設定される。言い換えると、複数の携帯電話機のいずれかの使用エリアを設定することにより、他の携帯電話機の使用エリアの設定が省略可能である。したがって、簡単な手続で複数の携帯電話機から通話を確立する特定携帯電話機を自動で選択することができる。
【００２４】
（第２実施形態）
本発明の第２実施形態による車載装置について説明する。
第２実施形態では、時計部４２から取得する日付データに基づいて通話を確立する携帯電話機を選択する点で第１実施形態と相違している。車載装置１０の構成は、第１実施形態と同様である。
第２実施形態の場合、外部メモリ１５は、携帯電話機３１および携帯電話機３２に設定されている使用日時または使用曜日の少なくともいずれかを記憶している。すなわち、外部メモリ１５は、特許請求の範囲の記憶手段を構成している。使用日時とは、携帯電話機３１または携帯電話機３２を使用する日付および時刻を意味する。また、使用曜日とは、携帯電話機３１または携帯電話機３２を使用する曜日を意味する。業務用の携帯電話機３１の場合、例えば勤務日の業務時間内が使用日時として設定されている。一方、個人用の携帯電話機３２の場合、例えば勤務日の業務時間外が使用日時として設定されている。また、業務用の携帯電話機３１の場合、例えば月曜日から金曜日までの平日が使用曜日として設定されている。一方、個人用の携帯電話機３２の場合、土曜日や日曜日が使用曜日として設定されている。使用日時および使用曜日は、使用者が携帯電話機３１、３２ごとの使用目的に応じて任意に設定する。使用者は、例えば操作スイッチ部１４からの入力により、携帯電話機３１または携帯電話機３２の使用日時または使用曜日を設定する。使用者は、携帯電話機３１または携帯電話機３２の使用目的に応じて使用日時または使用曜日のいずれか一方のみを設定してもよい。
【００２５】
車載装置１０は、制御部１１に接続する電話機選択部４１を備えている。電話機選択部４１は、特許請求の範囲の選択手段である。電話機選択部４１は、時計部４２から取得した現在の日時または曜日に基づいて、携帯電話機３１または携帯電話機３２から上述の使用日時または使用曜日に合致する携帯電話機を特定携帯電話機として選択する。例えば時計部４２で取得した現在の日時および曜日が平日の勤務時間中であるときなど、電話機選択部４１は回線を確立する携帯電話機として業務用の携帯電話機３１を選択する。一方、例えば時計部４２で取得した現在の日時および曜日が平日の夜間や休日であるときなど、電話機選択部４１は回線を確立する携帯電話機として個人用の携帯電話機３２を選択する。接続制御部２２は、電話機選択部４１によって回線を確立すべき特定携帯電話機が選択されると、送受信部２１を経由して特定携帯電話機へ回線接続信号を出力する。これにより、特定携帯電話機と外部の電話回線３３との間には通話のための回線が確立される。
【００２６】
次に、図３に基づいて第２実施形態の車載装置１０の処理の流れについて説明する。なお、第１実施形態と重複する説明については省略する。
制御部１１は、電話回線３３への発信または電話回線３３からの着信があると、複数の携帯電話機３１、３２がハンズフリー登録可能であるか否かを判断する（Ｓ２０１）。制御部１１は、複数の携帯電話機３１、３２がハンズフリー登録できないと判断すると、登録可能な一つの携帯電話機を選択して通話を確立し、処理を終了する（Ｓ２０２）。
【００２７】
制御部１１は、ステップＳ２０１において複数の携帯電話機３１、３２がハンズフリー登録可能であると判断すると、使用日時または使用曜日の設定があるか否かを判断する（Ｓ２０３）。使用者により設定された使用日時および使用曜日は、外部メモリ１５に記憶されている。使用日時および使用曜日は、使用者により携帯電話機３１、３２ごとに設定されている。例えば業務用の携帯電話機３１の場合、平日の勤務時間内が使用日時および使用曜日として設定されている。また、例えば個人用の携帯電話機３２の場合、平日の夜間および休日などが使用日時および使用曜日として設定されている。制御部１１は、ステップＳ２０３における判断の結果、使用日時または使用曜日が設定されていないと判断すると、複数の携帯電話機３１、３２のうちデフォルトで使用が設定されている携帯電話機を選択して通話を確立し、処理を終了する（Ｓ２０４）。
【００２８】
制御部１１は、ステップＳ２０３において携帯電話機３１、３２に使用日時または使用曜日の設定があると判断すると、時計部４２から現在の日時または曜日の少なくともいずれかを取得する（Ｓ２０５）。制御部１１は、時計部４２から現在の日時または曜日を取得する。そして、電話機選択部４１は、取得した現在の日時または曜日に合致する使用日時または使用曜日を有する携帯電話機を特定携帯電話機として選択する（Ｓ２０６）。ステップＳ２０５で取得した現在の日時および曜日が平日の勤務時間内であるとき、電話機選択部４１はこの現在の日時または曜日に合致する使用日時または使用曜日を有する携帯電話機を検索する。業務用の携帯電話機３１は、その使用日時または使用曜日として平日の勤務時間内を含んでいる。そのため、電話機選択部４１は、現在の日時または使用曜日が平日の勤務時間内であるとき、これに合致する使用日時または使用曜日を含む業務用の携帯電話機３１を特定携帯電話機に設定する。一方、現在の日時または曜日が平日の夜間や休日であるとき、電話機選択部４１は個人用の携帯電話機３２を特定携帯電話機に設定する。
【００２９】
制御部１１は、ステップＳ２０６において複数の携帯電話機３１、３２から特定携帯電話機が選択されると、特定携帯電話機を経由して外部の電話回線３３との間に通話を確立する（Ｓ２０７）。接続制御部２２は、電話機選択部４１で選択された特定携帯電話機へ送受信部２１を経由して回線接続信号を出力する。特定携帯電話機は、送受信部２１を経由して接続制御部２２から出力された回線接続信号を受信すると、外部の電話回線３３との間に通話を確立する。以上の手順より、制御部１１は、現在の日時または曜日に基づいて通話を確立すべき携帯電話機を自動的に選択する。
【００３０】
第２実施形態では、現在の日時または曜日に応じて、この現在の日時または曜日を使用日時または使用曜日として含んでいる携帯電話機が特定携帯電話機として選択される。そのため、現在の日時または曜日に応じて、複数の携帯電話機３１、３２から電話回線３３との間に通話を確立する携帯電話機が自動的に選択される。このとき、電話機選択部４１は、現在の日時または曜日によって携帯電話機を選択する。そのため、携帯電話機３１、３２へ着信があった場合、および携帯電話機３１、３２から発信する場合のいずれの場合も、現在の日時または曜日に基づいて通話を確立する携帯電話機が自動的に選択される。使用日時または使用曜日は、例えば業務用か個人用かなど携帯電話機３１、３２の属性に応じて使用者によって任意に設定される。したがって、発信だけでなく着信時においても自動で複数の携帯電話機３１、３２から通話を確立する特定携帯電話機を選択することができる。
【００３１】
また、第２実施形態では、平日の勤務時間内を業務用の携帯電話機３１の使用エリアと設定すると、現在の日時または曜日が平日の勤務時間内にあるとき、業務用の携帯電話機３１が特定携帯電話機として選択される。一方、現在の日時または曜日が平日の夜間または休日であるとき、個人用の携帯電話機３２が特定携帯電話機として選択される。すなわち、現在の日時が平日の勤務時間外にあるとき、個人用の携帯電話機３２が特定携帯電話機として選択される。これにより、業務用の携帯電話機３１の使用日時または使用曜日を設定するだけで、同時に個人用の携帯電話機３２の使用日時または使用曜日も設定される。言い換えると、複数の携帯電話機のいずれかの使用日時または使用曜日を設定することにより、他の携帯電話機の使用日時または使用曜日の設定が省略可能である。したがって、簡単な手続で複数の携帯電話機から通話を確立する特定携帯電話機を自動で選択することができる。
【００３２】
（第３実施形態）
本発明の第３実施形態による車載装置について説明する。
第３実施形態では、設定した目的地に基づいて通話を確立する携帯電話機を選択する点で第１実施形態と相違している。車載装置１０の構成は、第１実施形態と同様である。
第３実施形態の場合、外部メモリ１５は、携帯電話機３１および携帯電話機３２に設定されている使用目的地を記憶している。すなわち、外部メモリ１５は、特許請求の範囲の記憶手段を構成している。使用目的地とは、携帯電話機３１または携帯電話機３２が使用される目的地を意味する。業務用の携帯電話機３１の場合、例えば勤務先や取引先が使用目的地として設定されている。一方、個人用の携帯電話機３２の場合、例えば自宅や娯楽施設が使用目的地として設定されている。使用目的地は、使用者が携帯電話機３１、３２ごとの使用目的に応じて任意に設定する。使用者は、例えば操作スイッチ部１４からの入力により、携帯電話機３１または携帯電話機３２の使用目的地を設定する。
【００３３】
車載装置１０は、制御部１１に接続する電話機選択部４１を備えている。電話機選択部４１は、特許請求の範囲の選択手段である。電話機選択部４１は、操作スイッチ部１４からの入力で設定された経路案内の目的地に基づいて、携帯電話機３１または携帯電話機３２から上述の使用目的地に合致する携帯電話機を特定携帯電話機として選択する。例えば設定された目的地が勤務先や取引先などであるとき、電話機選択部４１は回線を確立する携帯電話機として業務用の携帯電話機３１を選択する。一方、例えば設定された目的地が自宅や娯楽施設などであるとき、電話機選択部４１は回線を確立する携帯電話機として個人用の携帯電話機３２を選択する。接続制御部２２は、電話機選択部４１によって回線を確立すべき特定携帯電話機が選択されると、送受信部２１を経由して特定携帯電話機へ回線接続信号を出力する。これにより、特定携帯電話機と外部の電話回線３３との間には通話のための回線が確立される。
【００３４】
次に、図４に基づいて第３実施形態の車載装置の処理の流れについて説明する。なお、第１実施形態と重複する説明については省略する。
制御部１１は、電話回線３３への発信または電話回線からの着信があると、複数の携帯電話機３１、３２がハンズフリー登録可能であるか否かを判断する（Ｓ３０１）。制御部１１は、複数の携帯電話機３１、３２がハンズフリー登録できないと判断すると、登録可能な一つの携帯電話機を選択して通話を確立し、処理を終了する（Ｓ３０２）。
制御部１１は、ステップＳ３０１において複数の携帯電話機３１、３２がハンズフリー登録可能であると判断すると、使用目的地の設定があるか否かを判断する（Ｓ３０３）。使用者により設定された使用目的地は、外部メモリ１５に記憶されている。使用目的地は、使用者により携帯電話機３１、３２ごとに設定されている。例えば業務用の携帯電話機の場合、勤務先および取引先などが使用目的地として設定されている。また、例えば個人用の携帯電話機３１の場合、自宅や娯楽施設などが使用目的地として設定されている。制御部１１は、ステップＳ３０３における判断の結果、使用目的地が設定されていないと判断すると、複数の携帯電話機３１、３２のうちデフォルトで使用が設定されている携帯電話機を選択して通話を確立し、処理を終了する（Ｓ３０４）。
【００３５】
制御部１１は、ステップＳ３０３において携帯電話機３１、３２に使用目的地の設定があると判断すると、設定されている目的地を取得する（Ｓ３０５）。制御部１１は、操作スイッチ部１４から入力された目的地を取得する。そして、電話機選択部４１は、取得した目的地に合致する使用目的地を有する携帯電話機を特定携帯電話機として選択する（Ｓ３０６）。ステップＳ３０５で取得した目的地が勤務先または取引先であるとき、電話機選択部４１はこの目的地に合致する使用目的地を有する携帯電話機を検索する。業務用の携帯電話機３１は、使用目的地として勤務先および取引先を含んでいる。そのため、電話機選択部４１は、目的地が勤務先または取引先であるとき、これに合致する使用目的地を含む業務用の携帯電話機３１を特定携帯電話機に設定する。一方、目的が自宅または娯楽施設であるとき、電話機選択部４１は個人用の携帯電話機３２を特定携帯電話機に設定する。
【００３６】
制御部１１は、ステップＳ３０６において複数の携帯電話機３１、３２から特定携帯電話機が選択されると、特定携帯電話機を経由して外部の電話回線３３との間に通話を確立する（Ｓ３０７）。接続制御部２２は、電話機選択部４１で選択された特定携帯電話機へ送受信部２１を経由して回線接続信号を出力する。特定携帯電話機は、送受信部２１を経由して接続制御部２２から出力された回線接続信号を受信すると、外部の電話回線３３との間に通話を確立する。以上の手順より、制御部１１は、設定された目的地に基づいて通話を確立すべき携帯電話機を自動的に選択する。
【００３７】
第３実施形態では、設定された目的地に応じて、この目的地を使用目的地として含んでいる携帯電話機が特定携帯電話機として選択される。そのため、設定された目的地に応じて、複数の携帯電話機３１、３２から電話回線３３との間に通話を確立する携帯電話機が自動的に選択される。このとき、電話機選択部４１は、設定された目的地によって携帯電話機を選択する。そのため、携帯電話機３１、３２へ着信があった場合、および携帯電話機３１、３２から発信する場合のいずれの場合も、目的地に基づいて通話を確立する携帯電話機が自動的に選択される。使用目的地は、例えば業務用か個人用かなど携帯電話機３１、３２の属性に応じて使用者によって任意に設定される。したがって、発信だけでなく着信時においても自動で複数の携帯電話機３１、３２から通話を確立する特定携帯電話機を選択することができる。
【００３８】
また、第３実施形態では、勤務先および取引先を携帯電話機３１の使用目的地と設定すると、目的地が勤務先および取引先であるとき、業務用の携帯電話機３１が特定携帯電話機として選択される。一方、目的地が自宅や娯楽施設であるとき、個人用の携帯電話機３２が特定携帯電話機として選択される。すなわち、目的地が勤務先または取引先以外であるとき、個人用の携帯電話機３２が特定携帯電話機として選択される。これにより、業務用の携帯電話機３１の使用目的地を設定するだけで、同時にこれを除外した目的地が個人用の携帯電話機３２の使用目的地として設定される。言い換えると、複数の携帯電話機のいずれかの使用目的地を設定することにより、他の携帯電話機の使用目的地の設定が省略可能である。したがって、簡単な手続で複数の携帯電話機から通話を確立する特定携帯電話機を自動で選択することができる。
【００３９】
（第４実施形態）
本発明の第４実施形態による車載装置について説明する。
第４実施形態では、上述の第１実施形態から第３実施形態を組み合わせて実施する。
第４実施形態の場合、外部メモリ１５は、使用エリア、使用日時または使用曜日の少なくともいずれか、および使用目的地をすべて記憶している。
車載装置１０は、制御部１１に接続する電話機選択部４１を備えている。電話機選択部４１は、位置検出部１２で検出した車両の現在位置、時計部４２から取得した現在の日時若しくは曜日、または設定された目的地に基づいて、携帯電話機３１または携帯電話機３２から特定携帯電話機を選択する。接続制御部２２は、電話機選択部４１によって回線を確立すべき携帯電話機が選択されると、送受信部２１を経由して特定携帯電話機へ回線接続信号を出力する。これにより、特定携帯電話機と外部の電話回線３３との間には通話のための回線が確立される。
【００４０】
次に、図５に基づいて第４実施形態の車載装置１０の処理の流れについて説明する。なお、第１実施形態から第３実施形態と重複する説明については省略する。
制御部１１は、電話回線３３への発信または電話回線３３からの着信があると、複数の携帯電話機３１、３２がハンズフリー登録可能であるか否かを判断する（Ｓ４０１）。制御部１１は、複数の携帯電話機３１、３２がハンズフリー登録できないと判断すると、登録可能な一つの携帯電話機を選択して通話を確立し、処理を終了する（Ｓ４０２）。
制御部１１は、ステップＳ４０１において複数の携帯電話機３１、３２がハンズフリー登録可能であると判断すると、使用目的地の設定があるか否かを判断する（Ｓ４０３）。制御部１１は、使用目的地の設定があると判断すると、設定された目的地を取得する（Ｓ４０４）。そして、電話機選択部４１は、取得した目的地と合致する使用目的地を有する携帯電話機を特定携帯電話機として選択する（Ｓ４０５）。
【００４１】
一方、制御部１１は、ステップＳ４０３において使用目的地の設定がないと判断すると、使用エリアの設定があるか否かを判断する（Ｓ４０６）。制御部１１は、ステップＳ４０６において使用エリアの設定があると判断すると、現在位置を取得する（Ｓ４０７）。そして、電話機選択部４１は、取得した現在位置に合致する使用エリアを有する携帯電話機を特定携帯電話機として選択する（Ｓ４０８）。
さらに、制御部１１は、ステップＳ４０６において使用エリアの設定がないと判断すると、使用日時または使用曜日の設定があるか否かを判断する（Ｓ４０９）。制御部１１は、使用日時または使用曜日が設定されていないと判断すると、複数の携帯電話機３１、３２のうちデフォルトで使用が設定されている携帯電話機を選択して通話を確立し、処理を終了する（Ｓ４１０）。制御部１１は、ステップＳ４０９において携帯電話機３１、３２に使用日時または使用曜日の設定があると判断すると、時計部４２から現在の日時または曜日の少なくともいずれかを取得する（Ｓ４１１）。そして、電話機選択部４１は、取得した現在の日時または曜日に合致する使用日時または使用曜日を有する携帯電話機を特定携帯電話機として選択する（Ｓ４１２）。
【００４２】
以上の手順におけるステップＳ４０５、Ｓ４０８またはＳ４１２において特定携帯電話機が選択されると、制御部１１は特定携帯電話機を経由して外部の電話回線３３との間に通話を確立する（Ｓ４１３）。接続制御部２２は、電話機選択部４１で選択された特定携帯電話機へ送受信部２１を経由して回線接続信号を出力する。特定携帯電話機は、送受信部２１を経由して接続制御部２２から出力された回線接続信号を受信すると、外部の電話回線３３との間に通話を確立する。以上の手順より、制御部１１は、目的地、現在位置、または現在の日時若しくは曜日、に基づいて通話を確立すべき携帯電話機を自動的に選択する。
【００４３】
第４実施形態では、目的地、車載装置を搭載した車両の現在位置、または現在の日時若しくは曜日に応じて、複数の携帯電話機３１、３２から特定携帯電話機が選択される。そのため、目的地、車両の現在位置、または現在の日時若しくは曜日のいずれかに応じて、複数の携帯電話機３１、３２から電話回線３３との間に通話を確立する特定携帯電話機が自動的に選択される。したがって、発信だけでなく着信時においても自動で複数の携帯電話機から通話を確立する特定携帯電話機を選択することができる。
第４実施形態では、特定携帯電話機を選択する優先順位として、使用目的地を最優先にし、続いて使用エリアおよび使用日時または使用曜日の順に設定している。しかし、特定携帯電話機を選択する優先順位は、上記の例に限らず、任意に変更することができる。
【００４４】
なお、以上で説明した複数の実施形態では、外部メモリ１５を記憶手段として用いる例について説明したが、外部メモリ１５に限らず例えば制御部１１を構成するＲＡＭやＥＥＰＲＯＭなどの車載装置１０のメモリを記憶手段として用いてもよい。
以上説明した本発明は、上記実施形態に限定されるものではなく、その要旨を逸脱しない範囲で種々の実施形態に適用可能である。
【図面の簡単な説明】
【００４５】
【図１】本発明の第１実施形態によるハンズフリー通話装置を適用した車載装置を示すブロック図
【図２】本発明の第１実施形態による車載装置の作動の流れを示す概略図
【図３】本発明の第２実施形態による車載装置の作動の流れを示す概略図
【図４】本発明の第３実施形態による車載装置の作動の流れを示す概略図
【図５】本発明の第４実施形態による車載装置の作動の流れを示す概略図
【符号の説明】
【００４６】
図面中、１０は車載装置（ハンズフリー通話装置）、１１は制御部（日付情報取得手段、目的地設定手段）、１２は位置検出部、１４は操作スイッチ部（目的地設定手段）、１５は外部メモリ（記憶手段）、２１は送受信部、２２は接続制御部、２７はリモコン（目的地設定手段）、３１、３２は携帯電話機、３３は電話回線、４１は電話機選択部（選択手段）、４２は時計部（日付情報取得手段）を示す。
【図１】
0005029458.tif 000002
【図２】
0005029458.tif 000003
【図３】
0005029458.tif 000004
【図４】
0005029458.tif 000005
【図５】
0005029458.tif 000006